(57)【要約】【課題】  位置ずれが防止され、容易に装着脱でき、更に製作性を向上した女性用尿取りパッドを提供すること。【解決手段】  液透過性不織布の内面シートと液不透過性不織布の外面シートとの間に、所定形状に形成された液吸収体を挟持し、内面シートの下端部に不織布からなる接続部材を設け、その下方を有底筒状体に挿入し固定したもの。【選択図】    図１
2005348790.tif 000002
【特許請求の範囲】
【請求項１】
液透過性不織布の内面シートと液不透過性不織布の外面シートとの間に、所定形状に形成された液吸収体を挟持し、内面シートの下端部に不織布からなる接続部材を接着あるいは縫製等によって設け、この接続部材の一部を有底筒状体に挿入し固定した女性用尿取りパッド。
【請求項２】
前記パッドの内面側は、中央部が高い曲面状凸部となるように液吸収体の形状が形成されていることを特徴とする請求項１に記載の女性用尿取りパッド。
【請求項３】
前記液不透過性不織布の外面シートは予め折り目又はギャザーが形成されていることを特徴とする請求項１又は２のいずれかに記載の女性用尿取りパッド。
【請求項４】
前記内面シートは尿が逆戻りしない液透過性不織布で形成されたことを特徴とする請求項１乃至３のいずれかに記載の女性用尿取りパッド。
【請求項５】
前記パッドの上端にシート状部材を設け、その上端部表面におむつに剥離可能に接着する接着部材を設けたことを特徴とする請求項１乃至５のいずれかに記載の女性用尿取りパッド。
【請求項６】
前記筒状体は丸みのある底を有する有底筒状体であることを特徴とする請求項１乃至５のいずれかに記載の女性用尿取りパッド。
【請求項７】
前記筒状体にＴ型の液不透過性不織布を固定し、そのＴ型の横の部分を筒状体の外に出して、その横の部分を前記パッドの下端部に融着または縫製あるいは接着剤で接続することを特徴とする請求項１乃至７のいずれかに記載の女性用尿取りパッド。
【請求項８】
前記接続部材は前記外面シートの１部を下方に一体的に延長したことを特徴とする請求項１乃至６のいずれかに記載の女性用尿取りパッド。
【請求項９】
前記接続部材の一部は有底筒状体に挿入された固定体とこの有底筒状体とによって挟持することによって固定した請求項１乃至８のいずれかに記載の女性用尿取りパッド。
【発明の詳細な説明】
【技術分野】
【０００１】
本発明は、寝たきり、高齢、又は身体的障害のため排尿処理ができない方の女性用尿取りパッドに関する。
【背景技術】
【０００２】
当発明者らは、女性局部をだけを覆うだけで尿漏れがなく、寝返りをしても位置がずれず、排泄された便による女性局部の汚染を防止し、パッド交換、及び女性局部の洗浄が容易にできる女性用尿取りパッドを下記特許文献に記載されている特許発明で提案している。
又、この特許文献記載の特許発明によれば、介護者の労力が軽減でき、被介護者の精神的苦痛を和らげ、おむつの交換の回数が減り、介護者にかかる費用を低減することができるという介護者にとっても大きな効果が期待できるものである。
【０００３】
【特許文献１】特許第３３５７６６９号公報
【発明の開示】
【発明が解決しようとする課題】
【０００４】
前記特許発明においては、外面シートの先端部の突出部をすぼめて筒状体に接着剤で固定されているので、手作業に多大な時間を要し、又、自動的に製造しようとすると複雑な構成の機械装置を必要とし、唯一製造が困難であるという課題を有している。
本発明は前述の問題点を解決し、先の特許発明の位置ずれがなく、装着脱が容易であるとういう効果を維持しつつ、製作性を向上した女性用尿パッドを提供することを目的としてなされたものである。
【課題を解決するための手段】
【０００５】
前記目的は液透過性不織布の内面シートと液不透過性不織布の外面シートとの間に、所定形状に形成された液吸収体を狭持し、内面シートの下端部に液不透過性不織布からなる接続部材を設け、この接続部材の一部を有底筒状体に挿入し固定したことによって達成される。
【発明の効果】
【０００６】
本発明によれば位置ずれがなく、容易に装着脱でき、更に製作性を向上した女性用尿取りパッドを提供することができる。
【発明を実施するための最良の形態】
【０００７】
本発明の最良の形態は、液透過性不織布の内面シートと液不透過性不織布の外面シートとの間に、中央部が高い曲面凸部状に形成された吸収体を挟持し、内面シート下端部にＴ字状の不織布からなる接続部材を取り付け、この接続部材の下方を有底筒状体に挿入し固定するように構成した女性用尿取りパッドである。
【実施例】
【０００８】
以下、本発明の一実施例を図に基づいて詳細に説明する。
図１は本発明一実施例女性用尿取りパッドの全体を示した斜視図、図２は同じく女性用尿取りパッドの表面側から見た正面図、図３は同じく裏面側から見た裏面図、図４は同じく断面図である。
図において、１は本発明の一実施例女性用尿取りパッドの全体を示している。２は液透過性の不織布から構成されている内面シートである。
このように内面シート２は液透過性不織布で形成されているため、尿の吸収性が良く且つ吸収された尿の戻りがないので、女性局部に接する部分の肌触りが良い。
３は液不透過性不織布から形成されている外面シートで、４は吸収体で、例えば木材の微細チップとポリマー材料の微細チップの混合物からなされるものである。
そのため、内面シート２から吸収された尿が吸収体４に吸収されて尿漏れすることがない。
図において４の吸収体は内面シートと外面シートに挟持され、その吸収体４は５に示してあるようにパッドの内面側に凸状に形成されている曲面状凸部を有している。
この曲面状凸部は局部に確実に接触することにより、尿道口からの尿がパッドの全体に広がり吸収されるので、尿が肛門に流れて便と混ざり合うことがなく、床ずれ防止等又排泄された便による女性局部の汚染を防止し、尿取りパッドの交換時の女性局部の洗浄が容易となり、衛生的である。
又、介護者の労力を軽減できるばかりでなく、被介護者の精神的苦痛を和らげ、更に本発明の尿取りパッドの装着により尿が漏れることなく、おむつの交換の回数、使用枚数を減らすことができ介護者のかかる費用を減らすことができる。
パッドの実施例の略矩形状に限定されるものではなく、略矩形状の四隅と曲線状に面取りしたもの、楕円形状等、女性局部を覆う形状であればどのような形状のものでもよい。
【０００９】
図において、６は液透過性内面シート２と液不透過性外面シート３を合わせて外縁部を加熱し、熱融着した熱融着部を示している。
これにより、パッド内の吸収体４に吸収された尿が漏れ出すことを防ぐことが出来る。
【００１０】
図において、７は上方が開放された有底の筒状体で、液不透過性で樹脂又は撥水処理された紙で所定の剛性を有している。この筒状体の底部は丸み状に形成している。
丸みを必要とする理由は、女性の膣口に挿入する時に、スムースに挿入でき、被介護者に違和感を与えないためである。
【００１１】
図３において、８は外面シートに予め縦方向に複数形成された折り目する。
折り目８の形状としては、液吸収体４の尿吸収による体積増加に対応するものであれば、箱襞、プリーツ、ギャザー等どのような形状でもよい。折り目方向は縦方向だけでなく、横方向としてもよい。
【００１２】
図５は尿取りパッドに接続する筒状体７とそれに挿入する接続部材１０を示す。
図示にて明らかなように接続部材１０は不織布でＴ型に構成されている。Ｔ型としたのはパットの下端部に接続部材１０を例えば接着する場合、上方の横の部分の面積が大きく確実に接着できることを期待したためである。
又、筒状体7に挿入されるＴ型の下の縦型の部分の幅は、筒状体7の径と同等かあるいは僅かに小さい寸法としている。これは、この部分を丸めることなくスムースに筒状体7に挿入することを可能にし、これによって作業性を大幅に向上することを指向したものである。
【００１３】
接続部材１０を前記ではＴ型としたが、接着性が充分に確保されればこれは扇形１０−Ａや長方形１０−Ｂでもよいのである。
図５の下方に示した図は、接続部材１０の下方一部をそれぞれ筒状体７に挿入した状態を示したものである。
図６は柔らかい不織布から構成された接続部材１０を筒状体７に挿入し易くするために、接続部材１０の挿入部分に比較的硬質の芯板１１を接着した例を示している。
この芯板１１は樹脂や撥水処理された紙材等で形成されている。これにより接続部材１０の挿入部分は筒状体７に簡単かつスムースに挿入作業ができ、作業効率を向上することができる。
図６の上段は不織布から構成された接続部材１０に芯板１１を貼り付けた図を示す。
同じく二段目は接続部材１０を筒状体７にそれぞれ挿入に他状態の正面図を示している。同様にして三段目は側面図、下段はそれぞれ平面図を示したものである。
【００１４】
図７は筒状体７に接続部材１０を取り付ける他の方法を示している。
図において明らかなように、筒状体７に接続部材１０である不織布の先端を挿入し、しかる後この筒状体の開口部から所定寸法の固定体１２ないし１４を挿入し、不織布をこの固定体と筒状体７間で挟持するようにしたものである。
この固定体は、円柱体１２、球体１３あるいは半円柱１４のいずれかが選択され用いられる。
固定体の材料は、発泡スチロールか撥水処理された紙、発砲樹脂、軟質ゴム、あるいはスポンジ、その他の軟質、弾性材料で構成すればよい。
ただし、固定体の少なくとも径方向の寸法は、自然状態でいずれも筒状体の径と同等かあるいは僅かに大径となされているのが好ましい。すなわち固定体は筒状体に挿入する過程で縮小する方向に撓み、挿入後の固定体の復元力が接続部材を確実に挟持することになるのである。
【００１５】
図８において、パッドの中央部分内、外シートの両方、あるいは内外シートの何れか一方を下方に一部延長２Ａした形状の内面シートを示している。この延長部は前記接続部材１０に相当するもので、このように構成すれば別部品としての接続部材が不要となり、材料費や接着の手数が省かれるというメリットを有している。特に接着が不要となることから接着に起因する事故や欠陥の発生がなくなり、商品の品質を向上することができるものである。
【００１６】
次に尿取りパッドを、おむつ１７に装着するための例を図９に基づいて説明する。
図９において、９は尿取りパッドの上端の一部を上方に延長して形成した固定部であり、１６はこの固定部の表面に設けた両面テープ等の粘着テープである。
使用方法は、おむつの内側に粘着テープで止めたものと、外側に固定部を引き出して前に折り、粘着テープでおむつの表面に止める二つの方法があり、どちらの使用方法にも適用できるように異なる長さの固定部を用意しておくことが求められる。
【００１７】
図１０は、外側に固定部を引き出して前に折り、粘着テープでおむつの表面に止めた状態の正面図である。
【産業上の利用可能性】
【００１８】
本発明は、寝たきり、高齢者、又は身体的障害のため排尿処理ができない女性の尿取りパッドだけでなく、健丈者においても旅行やその外携帯用としても使用されるものである。
【図面の簡単な説明】
【００１９】
【図１】本発明の一実施例の全体を示す斜視図
【図２】本発明の一実施例の全体を示す内側の平面図
【図３】本発明の一実施例の全体を示す裏面の平面図
【図４】本発明の女性用尿取りパッドの断面図
【図５】本発明の女性用尿取りパッドに接続する筒状体とそれに挿入する部材
【図６】液不透過性不織布のたての部分に硬質な樹脂、又は撥水処理された紙を予め接着し筒状体に挿入、接着した正面図、断面図、平面図
【図７】筒状体に円柱、半円柱、球型を挿入した平面図、断面図
【図８】外面シートの一部を延長した裏面の平面図
【図９】おむつ装着後内側に固定した側面図。おむつ装着後外側で固定した側面図
【図１０】おむつ装着後正面図
【符号の説明】
【００２０】
１        女性用尿取りパッド
２        内面シート
３        外面シート
４        吸収体
５        曲線状凸部
６        圧着部分
７        筒状体
８        折り目（ギャザー）
９        固定部
１０      接続部材
１０−Ａ  扇形
１０−Ｂ  長方形
１１      芯板
１２      円柱体
１３      球体
１４      半円柱
１６      粘着テープ
１７      おむつ
【図１】
2005348790.tif 000003
【図２】
2005348790.tif 000004
【図３】
2005348790.tif 000005
【図４】
2005348790.tif 000006
【図５】
2005348790.tif 000007
【図６】
2005348790.tif 000008
【図７】
2005348790.tif 000009
【図８】
2005348790.tif 000010
【図９】
2005348790.tif 000011
【図１０】
2005348790.tif 000012